(57)【要約】【課題】一般利用を開放しながら必要に応じて確実にセキュリティを図れ、また、多機能でありすぎるための誤操作を防ぐことができる、融通性・利便性の高い画像形成装置を提供する。【解決手段】静脈パターン認識手段１１２と指紋認識手段１１３とにより、認識されたオペレータの静脈パターン及び指紋と、認識データ記憶手段１１４に予め個人別に登録された静脈パターン及び指紋とを、照合手段１１５により照合して、オペレータと予め登録された個人との同一性が確認された場合のみ装置の機能を動作させる。動作制限する機能や特定の個人が利用できる機能を限定できる。静脈パターン・指紋の登録の際や機能を限定する際に、所定のＩＤ入力を要求する。接続端末から画像出力を行う際や蓄積手段に蓄積された情報を接続端末から表示出力する際にも、静脈パターン及び指紋をＩＤとして要求する。【選択図】        図１
2004154546.tif 000002
【特許請求の範囲】
【請求項１】
静脈パターン及び／または指紋を認識する手段と、
該認識された前記静脈パターン及び／または前記指紋を登録する静脈パターン・指紋登録手段と、
静脈パターンと指紋との組合わせによりによりオペレータを認識するオペレータ認識手段と、
を有し、
前記静脈パターン・指紋登録手段により登録された人間のみが利用することができることを特徴とする画像形成装置。
【請求項２】
前記静脈パターン・指紋登録手段により登録された人間のみが利用することができる機能を限定する手段、
をさらに有することを特徴とする請求項１記載の画像形成装置。
【請求項３】
個人の静脈パターン及び／または指紋を登録する静脈パターン・指紋登録手段と、
静脈パターンと指紋との組合わせによりによりオペレータを認識するオペレータ認識手段と、
該組合わせと、前記登録された前記個人の前記静脈パターン及び／または前記指紋とを照合する静脈パターン・指紋照合手段と、
該照合の結果、前記認識された前記オペレータと、前記個人との同一性が確認された場合にのみ装置の機能を動作させる動作許可手段と、
を有する画像形成装置。
【請求項４】
前記動作許可手段が前記同一性が確認された場合にのみ動作させる前記機能を限定する手段、
をさらにを有することを特徴とする請求項３記載の画像形成装置。
【請求項５】
前記静脈パターン・指紋登録手段への前記登録の際に所定のＩＤ入力を必要とすることを特徴とする請求項１から４のいずれか１項に記載の画像形成装置。
【請求項６】
前記静脈パターン・指紋登録手段は、
前記静脈パターン及び／または前記指紋に関する情報を所定のフォーマットにより個人別に登録することを特徴とする請求項１から５のいずれか１項に記載の画像形成装置。
【請求項７】
前記所定のフォーマットにより静脈パターン及び／または指紋に関する情報を個人別に登録された者が利用できる機能を限定する手段、
をさらに有することを特徴とする請求項６記載の画像形成装置。
【請求項８】
前記利用できる機能を限定する操作を行うために、
所定のＩＤ入力を必要とすることを特徴とする請求項７記載の画像形成装置。
【請求項９】
前記画像形成装置に接続される端末から画像出力を行う際、所定の形式にて読み取った静脈パターン及び／または指紋に関する情報をＩＤとして要求することを特徴とする請求項１から８のいずれか１項に記載の画像形成装置。
【請求項１０】
蓄積手段に蓄積された情報を前記画像形成装置に接続される端末から表示出力する際、所定の形式にて読み取った静脈パターン及び／または指紋に関する情報をＩＤとして要求することを特徴とする請求項１から９のいずれか１項に記載の画像形成装置。
【請求項１１】
前記所定の形式にて読み取った静脈パターン及び／または指紋に関する情報がＩＤとして要求される機能を限定する手段、
をさらに有することを特徴とする請求項９または１０記載の画像形成装置。
【請求項１２】
前記ＩＤとして要求される機能を限定するのに、さらにＩＤ入力を要求することを特徴とする請求項１１記載の画像形成装置。
【請求項１３】
前記静脈パターン・指紋登録手段への前記登録を、前記画像形成装置に接続される端末を用いて行えることを特徴とする請求項１から１２のいずれか１項に記載の画像形成装置。
【発明の詳細な説明】
【０００１】
【発明の属する技術分野】
本発明は、画像形成装置に関し、特に、静脈パターンや指紋を用いた画像形成装置のセキュリティに関する。
【０００２】
【従来の技術】
指紋や静脈パターンは、個人識別力が高い。よって、指紋や静脈パターンは、、特定の個人のみが使用を許されるような装置やシステム等のセキュリティに利用される。この点は、画像形成装置においても同様である。
【０００３】
従来の静脈パターンによる個人識別技術は、手の甲に近赤外線を反射させ、その静脈パターンを抽出して、予めメモリに記憶されている静脈パターンと比較することにより、個人識別を図っている（例えば、特許文献１参照）。
【０００４】
また、スタートキーがオンされると、使用者の指紋が認識され、その指紋が既にメモリーに登録されているか否かが判定され、登録されている場合のみにコピーを開始するといった指紋による個人識別を行う画像形成装置もある（例えば、特許文献２参照）。
【０００５】
【特許文献１】
特開平１０−２９５６７４号公報
【特許文献２】
特開２０００−２２１８５１号公報
【０００６】
【発明が解決しようとする課題】
しかし、静脈パターンのみで個人を特定化するためには、それなりの視認領域と精度を要するので、特許文献１記載のような装置は、実用化という面では今ひとつであった。
【０００７】
また、指紋がない、若しくはつぶれてしまっている人もいるため、特許文献２に記載されているような装置も、必ずしも全ての個人を識別できないという問題があった。
【０００８】
また、静脈パターン若しくは指紋に関する情報を登録する際に、ＩＤ入力無しでは名前等の個人情報と共に蓄積されないため、登録者名の管理等ができないという利便性の不都合がある。
【０００９】
さらに、接続される端末等から画像出力しようとする際のＩＤとして、静脈パターン若しくは指紋に関する情報を用いることができるようにすれば、利便性が高まる。また、蓄積された情報を、接続される端末などから表示出力しようとする際のＩＤとして、静脈パターン若しくは指紋に関する情報を用いることができるようにすれば、さらに利便性が高まる。
【００１０】
そこで、本発明は、上記不具合を解決し、実用的な画像形成装置のセキュリティシステムを確立することを目的とするものである。すなわち、請求項１から１３記載の発明の目的は、比較的小さい視認領域と低い精度で静脈パターンを認識しても、指紋がないか又はつぶれてしまっている人を対象にしても、セキュリティを図れる画像形成装置を提供することを目的とする。
【００１１】
請求項２、４から１３記載の発明は、個人識別手段を、特定機能の開放となるＩＤとして用い、個人識別登録を行わない人にも画像形成装置の通常機能利用を開放することを目的としている。
【００１２】
請求項５から１３記載の発明は、登録手段に登録する際にＩＤ入力を設けることで、画像形成装置のセキュリティをより強化することを目的としている。
【００１３】
請求項６から１３記載の発明は、登録者名等のＩＤ管理がしやすい、より実用的で利便性の高い画像形成装置を提供することを目的としている。
【００１４】
請求項７から１３記載の発明は、多機能であるために誤操作をまねくと判断した時に、登録者の利用できることを制限したり等、利用できる機能を限定できることを目的としている。
【００１５】
請求項８から１３記載の発明は、登録者の利用できる機能を制限できる操作を行うためのＩＤを設けることで、セキュリティを強化することを目的としている。
【００１６】
請求項９から１３記載の発明は、接続される端末等から画像出力しようとする際のＩＤとして、静脈パターン若しくは指紋に関する情報を用いることにより、さらに利便性を高めることを目的としている。
【００１７】
請求項１０から１３記載の発明は、蓄積された情報を接続される端末などから表示出力しようとする際のＩＤとして、静脈パターン若しくは指紋に関する情報を用いることにより、さらに利便性を高めることを目的としている。
【００１８】
請求項１１から１３記載の発明は、利用制限をかけたくない場合にも対応できる融通性を兼ね備えることを目的としている。
【００１９】
請求項１２、１３記載の発明は、手の甲の静脈パターン若しくは指の指紋との組み合わせによる個人識別機能のＯｎ／Ｏｆｆ操作を行うためのＩＤを設けることで、セキュリティを強化することを目的としている。
【００２０】
請求項１３記載の発明は、自身からしか登録できなかった手の甲の静脈パターン若しくは指紋に指の指紋との組み合わせによる個人識別機能情報を、接続される端末等から登録できる融通性を兼ね備えることを目的としている。
【００２１】
【課題を解決するための手段】
上記の目的を達成するために、請求項１記載の発明によれば、画像形成装置は、静脈パターン及び／または指紋を認識する手段と、認識された静脈パターン及び／または指紋を登録する静脈パターン・指紋登録手段と、静脈パターンと指紋との組合わせによりによりオペレータを認識するオペレータ認識手段と、を有し、静脈パターン・指紋登録手段により登録された人間のみが利用することができることを特徴とするものである。
【００２２】
請求項２記載の発明によれば、画像形成装置は、静脈パターン・指紋登録手段により登録された人間のみが利用することができる機能を限定する手段をさらに有することを特徴とするものである。
【００２３】
請求項３記載の発明によれば、画像形成装置は、個人の静脈パターン及び／または指紋を登録する静脈パターン・指紋登録手段と、静脈パターンと指紋との組合わせによりによりオペレータを認識するオペレータ認識手段と、組合わせと、登録された個人の静脈パターン及び／または指紋とを照合する静脈パターン・指紋照合手段と、照合の結果、認識されたオペレータと、個人との同一性が確認された場合にのみ装置の機能を動作させる動作許可手段と、を有することを特徴とするものである。
【００２４】
請求項４記載の発明によれば、画像形成装置は、動作許可手段が同一性が確認された場合にのみ動作させる機能を限定する手段、をさらにを有する請求項３記載の画像形成装置であることを特徴とするものである。
【００２５】
請求項５記載の発明によれば、画像形成装置は、静脈パターン・指紋登録手段への登録の際に所定のＩＤ入力を必要とする請求項１から４のいずれか１項に記載の画像形成装置であることを特徴とするものである。
【００２６】
請求項６記載の発明によれば、画像形成装置は、静脈パターン・指紋登録手段は、静脈パターン及び／または指紋に関する情報を所定のフォーマットにより個人別に登録する請求項１から５のいずれか１項に記載の画像形成装置であることを特徴とするものである。
【００２７】
請求項７記載の発明によれば、画像形成装置は、所定のフォーマットにより静脈パターン及び／または指紋に関する情報を個人別に登録された者が利用できる機能を限定する手段、をさらに有する請求項６記載の画像形成装置であることを特徴とするものである。
【００２８】
請求項８記載の発明によれば、画像形成装置は、利用できる機能を限定する操作を行うために、所定のＩＤ入力を必要とする請求項７記載の画像形成装置であることを特徴とするものである。
【００２９】
請求項９記載の発明によれば、画像形成装置は、画像形成装置に接続される端末から画像出力を行う際、所定の形式にて読み取った静脈パターン及び／または指紋に関する情報をＩＤとして要求する請求項１から８のいずれか１項に記載の画像形成装置であることを特徴とするものである。
【００３０】
請求項１０記載の発明によれば、画像形成装置は、蓄積手段に蓄積された情報を画像形成装置に接続される端末から表示出力する際、所定の形式にて読み取った静脈パターン及び／または指紋に関する情報をＩＤとして要求する請求項１から９のいずれか１項に記載の画像形成装置であることを特徴とするものである。
【００３１】
請求項１１記載の発明によれば、画像形成装置は、所定の形式にて読み取った静脈パターン及び／または指紋に関する情報がＩＤとして要求される機能を限定する手段、をさらに有する請求項９または１０記載の画像形成装置であることを特徴とするものである。
【００３２】
請求項１２記載の発明によれば、画像形成装置は、ＩＤとして要求される機能を限定するのに、さらにＩＤ入力を要求する請求項１１記載の画像形成装置であることを特徴とするものである。
【００３３】
請求項１３記載の発明によれば、画像形成装置は、静脈パターン・指紋登録手段への登録を、記画像形成装置に接続される端末を用いて行える請求項１から１２のいずれか１項に記載の画像形成装置であることを特徴とするものである。
【００３４】
【発明の実施の形態】
次に、添付図面を参照して、本発明による画像形成装置の実施の形態を詳細に説明する。
【００３５】
図１には、本発明による画像形成装置の一実施形態の構成を示すブロック図が示されている。この図は、ＣＰＵ１０１と、ＲＯＭ１０２と、ＲＡＭ１０３と、操作パネル１０４と、各種センサー１０５と、各種モーター１０６と、Ｉ／Ｏ制御部１０７と、スキャナー部１０８と、読み取り制御部１０９と、プロッター部１１０と、書込み制御部１１１と、静脈パターン認識手段１１２と、指紋認識手段１１３と、認識データ記憶手段１１４と、照合手段１１５と、個人認識手段１１６とから構成される。
【００３６】
ＣＰＵ１０１は、本画像形成装置のシステム制御を行うＣＰＵである。ＣＰＵ１０１は、ＲＯＭ１０２に格納されているプログラムに従って、ＲＡＭ１０３をワークエリアに使用しつつ、本画像形成装置を統括する。
【００３７】
操作パネル１０４は、オペレータが各種設定等を行うための操作パネルである。各種センサー１０５は、紙サイズ検知やジャム検知等を行う。各種モーター１０６は、各種センサー１０５の入力及び負荷を駆動する。Ｉ／Ｏ制御部１０７は、各種モーター１０６の出力制御信号をＣＰＵ１０１の命令に基づいて制御を行う。
【００３８】
読み取り制御部１０９は、スキャナ部１０８を制御する。書き込み制御部１１１は、プロッター部１１０の制御を行う。
【００３９】
また、スキャナ部１０８から読み取った画情報や、画像形成装置に接続される外部端末から送られた画情報等を、画情報蓄積部１１７に蓄積しておくことができるようにする。
【００４０】
静脈パターン認識手段１１２は、手の甲の静脈パターンを認識する。
ここで述べている静脈パターン認識手段１１２とは、例えば、手の甲を含む所定の領域に赤外線等の光を当てて、静脈パターンが当該光の透過若しくは反射成分となり、抽出されるという様な仕組みである。
【００４１】
指紋認識手段１１３は、指の指紋を認識する。
ここで述べている指紋認識手段１１３とは、例えば、静脈パターン認識手段１１２と同様な方式でも、キセノンランプとＣＣＤを用いて読取る方式でもよい。
【００４２】
認識データ記憶手段１１４は、それらを個人別のデータとして記憶しておく。すなわち、認識データ記憶手段１１４は、手の甲の静脈パターンや指の指紋と共に入力された個人情報をデータとして記憶しておく。
【００４３】
照合手段１１５は、予め記憶・登録されたデータと、静脈パターン認識手段１１２や指紋認識手段１１３が認識したものとの比較を行い、同じかどうか判定を行うための照合手段であり、本発明の特徴となるものである。
【００４４】
なお、静脈パターン認識手段１１２と指紋認識手段１１３は併せて個人認識手段１１６の中で、それぞれの固有データの認識を行うものとする。すなわち、個人認識手段１１６とは、前述の例のような方法により、静脈パターンの認識と指紋の認識を共に実現するものである。
【００４５】
図２には、本発明による画像形成装置の一実施形態における基本動作のフローチャート示されている。なお、これは、端末使用時の実施例である。
【００４６】
図２において、まず、操作パネル１０４上若しくはその近傍にある個人認識手段１１６に手が載せられたら（ステップＳ１でＹｅｓ）、手の静脈パターンと指の指紋を読み取る（ステップＳ２）。
【００４７】
次いで、照合手段１１５にて、認識データ記憶手段１１４に蓄積されているそれぞれのデータと比較する（ステップＳ３）。そして、認識データ記憶手段１１４内に、それらが共に一致するデータがある場合は（ステップＳ４でＹｅｓ）、システムセキュリティを開放し、画像形成装置を使用可能状態にする（ステップＳ５）。
【００４８】
図３には、本発明による画像形成装置の一実施形態において利用制限する機能を限定した場合の基本動作のフローチャート示されている。
【００４９】
図３において、まず、システムセキュリティによる利用制限により画像形成装置の特定の機能を使用不可能状態にする（ステップＳ１１）。
【００５０】
その後、操作パネル１０４上若しくはその近傍にある個人認識手段１１６に手が載せられたら（ステップＳ１２でＹｅｓ）、手の静脈パターンと指の指紋を読み取る（ステップＳ１３）。
【００５１】
次いで、照合手段１１５にて認識データ記憶手段１１４に蓄積されているそれぞれのデータと比較していく（ステップＳ１４）。そして、認識データ記憶手段１１４内に、それらが共に一致するデータがある場合は（ステップＳ１５でＹｅｓ）、システムセキュリティを開放し、画像形成装置の制限している機能を使用可能状態にする（ステップＳ１６）。
【００５２】
図４には、本発明による画像形成装置の一実施形態における個人情報の入力のフローチャートが示されている。
【００５３】
図４において、まず、操作パネル１０４上で個人認識登録モードが選択されたならば（ステップＳ２１でＹｅｓ）、オペレータに対してＩＤ入力が促される（ステップＳ２２）。
【００５４】
正しいＩＤが入力されたならば（ステップＳ２３でＹｅｓ）、個人認識手段１１６上に手を載せる旨を促される（ステップＳ２４）。
【００５５】
オペレータの手が載せられたならば（ステップＳ２５でＹｅｓ）、前述の例の様な手段を用いて、手の静脈パターンと指の指紋を読み取る（ステップＳ２６）。
【００５６】
併せて、オペレータの名前の入力を促して（ステップＳ２７）、名前の入力が完了次第（ステップＳ２８でＹｅｓ）、認識データ記憶手段１１４に名前と個人認識データを蓄積する（ステップＳ２９）。
【００５７】
図５には、本発明による画像形成装置の一実施形態における個人情報の入力の他のフローチャートが示されている。本実施例は、個人識別情報登録時の実施例である。
【００５８】
図５において、まず、操作パネル１０４にて所定の操作を行うことにより個人認識登録モードに入り（ステップＳ３１でＹｅｓ）、該操作パネル１０４上若しくはその近傍にある個人認識手段１１６に手を載せる旨を表示される（ステップＳ３２）。
【００５９】
手が載せられたら（ステップＳ３３でＹｅｓ）、手の静脈パターンと指の指紋を読み取り（ステップＳ３４）、オペレータの名前等の個人情報入力を促し（ステップＳ３５）、個人情報入力が完了したら（ステップＳ３６でＹｅｓ）、認識データ記憶手段１１４に個人情報別に個人認識データを蓄積する（ステップＳ３７）。
【００６０】
こうすることにより、端末管理者にとっては個人識別機能利用時の管理等が可能になる。
【００６１】
ところで、ここで述べている静脈パターン認識手段１１２、指紋認識手段１１３、個人認識手段１１６の仕組み、方式は、前述したとおりである。
【００６２】
図６には、本発明による画像形成装置の一実施形態における機能制限登録のフローチャートが示されている。
【００６３】
図６において、まず、操作パネル１０４上で個人認識登録者機能制限モードが選択されたならば（ステップＳ４１でＹｅｓ）、オペレータに対してＩＤ入力を促す（ステップＳ４２）。
【００６４】
正しいＩＤが入力されたならば（ステップＳ４３でＹｅｓ）、制限したい機能と、機能制限したい個人認識手段登録者名を選択させ（ステップＳ４４）、入力が完了したならば（ステップＳ４５でＹｅｓ）、本機能を有効にする（ステップＳ４６）。
【００６５】
図７には、本発明による画像形成装置の一実施形態において接続端末から画像出力する場合のフローチャートが示されている。
【００６６】
図７のフローチャートは、後に図９で説明するような手順で個人識別機能が有効に設定されている時に、画像形成装置に接続された端末を用いて画像出力がなされる実施例を示している。
【００６７】
図７において、まず、画像形成装置に接続されるＰＣ等の端末から画像出力要求が来たら（ステップＳ５１でＹｅｓ）、接続端末に対して個人認識登録者かどうかを確認し（ステップＳ５２）、もし個人認識登録者であるならば（Ｙｅｓ）、個人識別情報データの送信を接続端末に対して促す（ステップＳ５９）。
【００６８】
個人認識登録者でない場合は（ステップＳ５２でＮｏ）、個人認識登録が必要である旨を接続端末に対して送信し（ステップＳ５３）、さらに接続端末にて個人認識登録を行うかを確認し（ステップＳ５４）、行う場合は（Ｙｅｓ）、所定の形式での手の甲の静脈パターン及び指紋の画像ファイル送信を促す（ステップＳ５５）。
【００６９】
所定の形式での該ファイルを受信したならば（ステップＳ５６でＹｅｓ）、認識データ記憶手段１１４に蓄積して（ステップＳ５７）、登録が終了した旨を伝えた後（ステップＳ５８）、画像出力データを通常手順で出力させる（ステップＳ６４〜ステップＳ６６）。
【００７０】
これに対して、もし、接続端末にて、個人認識登録を行わない場合は（ステップＳ５４でＮｏ）出力できない。
【００７１】
さて、個人認識登録者であり（ステップＳ５２でＹｅｓ）、接続端末から個人認識登録情報が送られてきたならば（ステップＳ６０でＹｅｓ）、それを認識データ記憶手段１１４に蓄積されているデータと比較して（ステップＳ６１）、一致するデータがあるかを確認し（ステップＳ６２）、あった場合は（Ｙｅｓ）、画像出力データの送信を促し、画像出力を許可し（ステップＳ６４）、画像データを受信して（ステップＳ６５でＹｅｓ）、画像出力する（ステップＳ６６）。
【００７２】
これに対して、認識データ記憶手段１１４に蓄積されているデータと一致するデータが存在しない場合は（ステップＳ６２でＮｏ）、データ送信者が登録されていないこと、さらに個人認識登録が必要である旨を、接続端末に対して送信し（ステップＳ６３）、接続端末にて個人認識登録を行うか問い合わせる（ステップＳ５４）。その後の処理は、初めに個人認識登録者であるかどうかを確認して、該登録者でないと選択された場合と同様である（ステップＳ５５〜ステップＳ５８）。
【００７３】
図８には、本発明による画像形成装置の一実施形態において蓄積手段（図１の画情報蓄積部１１７）に蓄積されている情報を接続端末から画像表示出力する場合のフローチャートが示されている。
【００７４】
図８のフローチャートは、後に図９で説明するような手順で個人識別機能が有効に設定されている時に、画像形成装置に接続された端末を用いて、図１の画情報蓄積部１１７等の蓄積手段に蓄積されている情報を画像表示する場合の実施例を示している。
【００７５】
図８において、まず、画像形成装置に接続されるＰＣ等の端末から、画情報蓄積部１１７のデータの表示出力要求が来たら（ステップＳ７１でＹｅｓ）、接続端末に対して個人認識登録者かどうかを確認し（ステップＳ７２）、もし個人認識登録者であるならば（Ｙｅｓ）、個人識別情報データの送信を接続端末に対して促す（ステップＳ７９）。
【００７６】
個人認識登録者でない場合は（ステップＳ７２でＮｏ）、個人認識登録が必要である旨を接続端末に対して送信し（ステップＳ７３）、さらに接続端末にて個人認識登録を行うかを確認し（ステップＳ７４）、行う場合は（Ｙｅｓ）、所定の形式での手の甲の静脈パターン及び指紋の画像ファイル送信を促す（ステップＳ７５）。
【００７７】
所定の形式での該ファイルを受信したならば（ステップＳ７６でＹｅｓ）、認識データ記憶手段１１４に蓄積して（ステップＳ７７）、登録が終了した旨を伝えた後（ステップＳ７８）、表示出力したいデータを選択させた上で、該データを送信して表示出力させる（ステップＳ８４〜ステップＳ８６）。
【００７８】
これに対して、もし、接続端末にて、個人認識登録を行わない場合は（ステップＳ７４でＮｏ）、表示出力できない。
【００７９】
さて、個人認識登録者であり（ステップＳ７２でＹｅｓ）、接続端末から個人認識登録情報が送られてきたならば（ステップＳ８０でＹｅｓ）、それを認識データ記憶手段１１４に蓄積されているデータと比較して（ステップＳ８１）、一致するデータがあるかを確認し（ステップＳ８２）、あった場合は（Ｙｅｓ）、画像出力を許可し、画像データを受信して画像出力する。
【００８０】
これに対して、認識データ記憶手段１１４に蓄積されているデータと一致するデータが存在しない場合は（ステップＳ８２でＮｏ）、データ送信者が登録されていないこと、さらに個人認識登録が必要である旨を、接続端末に対して送信し（ステップＳ８３）、接続端末にて個人認識登録を行うか問い合わせる（ステップＳ７４）。その後の処理は、初めに個人認識登録者であるかどうかを確認して、該登録者でないと選択された場合と同様である（ステップＳ７５〜ステップＳ７８）。
【００８１】
図９には、本発明による画像形成装置の一実施形態における接続端末に対する個人識別機能の設定のフローチャートが示されている。
【００８２】
まず、操作パネル１０４にて所定の操作を行うことにより、接続端末に対する個人識別機能設定モードに入ろうとしたならば（ステップＳ９１）、ＩＤ入力が促される（ステップＳ９２）。
【００８３】
入力されたＩＤが正しいならば（ステップＳ９３でＹｅｓ）、接続端末に対する個人識別機能設定モードに入り（ステップＳ９４）、該機能のＯｎ／Ｏｆｆを設定させる。入力されたＩＤが間違っている場合は（ステップＳ９３でＮｏ）、該モードに入ることができない。
【００８４】
こうすることにより、端末管理者にとっては個人識別機能利用の管理等が可能ないし容易となる。
【００８５】
このように、静脈パターン・指紋登録手段への登録を、接続端末すなわち画像形成装置に接続された端末から行い、個人識別機能が有効に設定した上で（ステップＳ９５でＹｅｓ、ステップＳ９６）、前述のように、接続端末を用いて、画像出力したり、蓄積手段に蓄積されている情報を画像表示したりする。
【００８６】
なお、接続端末から送られる、所定の形式の個人識別情報ファイルとしては、例えば、スキャナで手の甲の静脈パターン、指紋を読み取り、所定の形式で保存したもの等があげられる。
【００８７】
【発明の効果】
請求項１から１  ３記載の発明によれば、手の甲の静脈パターンと指の指紋の両方の組み合わせで個人認識するので、画像形成装置の利用制限セキュリティをより正確に実現することができる。
【００８８】
請求項２、４から１３記載の発明によれば、個人認識された人間のみが利用できる機能を限定できるので、画像形成装置の一般利用を図りつつ、特定機能の利用制限セキュリティを正確に実現することができる。
【００８９】
請求項５から１３記載の発明によれば、個人識別情報登録の際にＩＤ入力が必要になるので、画像形成装置の利用セキュリティをさらに強化することができる。
【００９０】
請求項６から１３記載の発明によれば、静脈パターンと指紋に関する情報が共に個人情報別に蓄積されているので、管理者が全個人識別情報登録者による画像形成装置の利用状況等の管理を容易に行うことができる。
【００９１】
請求項７から１３記載の発明によれば、画像形成装置にいおいて利用できる機能を特定の登録者についてのみ制限できるため、多機能で使いこなせないユーザの誤操作防止等が可能となる。
【００９２】
請求項８から１３記載の発明によれば、特定の登録者の利用できる機能を制限するためにＩＤ入力を必要とするので、管理者以外の人間による不用意な画像形成装置の機能制限の設定を防止できる。
【００９３】
請求項９から１３記載の発明によれば、画像形成装置において、これに接続される端末から画像出力する際のＩＤとして静脈パターンと指紋に関する情報を用いることができるので、画像形成装置をネットワーク等に接続される出力端末としてもよりセキュリティの高いものとすることができる。
【００９４】
請求項１０から１３記載の発明によれば、画像形成装置において、これに接続される端末等から、蓄積手段に蓄積された情報を表示出力する際のＩＤとして静脈パターンと指紋に関する情報を用いることができるので、画像形成装置をネットワーク等に接続される出力端末としてもよりセキュリティの高いものとすることができる。
【００９５】
請求項１１から１３記載の発明によれば、画像形成装置において、前述のように、識別機能の設定Ｏｎ／Ｏｆｆをできるため、相手を選ばない画像出力端末として用いたい場合等に対する融通性にも対応できる。
【００９６】
請求項１２、１３記載の発明によれば、画像形成装置において、前述のように、識別機能の設定Ｏｎ／Ｏｆｆを行うためにＩＤ入力を必要とするので、管理者以外の人間による不用意な本機能の設定を防止できる。
【００９７】
請求項１３記載の発明によれば、画像形成装置は、前述のように、識別機能を行うための登録作業も、画像形成装置と接続される端末から行うことができるので、識別機能Ｏｎ時の利用登録を容易に行うことができる。
【図面の簡単な説明】
【図１】本発明による画像形成装置の一実施形態の構成図である。
【図２】本発明による画像形成装置の一実施形態における基本動作のフローチャートである。
【図３】本発明による画像形成装置の一実施形態において利用制限する機能を限定した場合の基本動作のフローチャートである。
【図４】本発明による画像形成装置の一実施形態における個人情報の入力のフローチャートである。
【図５】本発明による画像形成装置の一実施形態における個人情報の入力の他のフローチャートである。
【図６】本発明による画像形成装置の一実施形態における機能制限登録のフローチャートである。
【図７】本発明による画像形成装置の一実施形態において接続端末から画像出力する場合のフローチャートである。
【図８】本発明による画像形成装置の一実施形態において蓄積手段に蓄積されている情報を接続端末から画像表示出力する場合のフローチャートである。
【図９】本発明による画像形成装置の一実施形態における接続端末に対する個人識別機能の設定のフローチャートである。
【符号の説明】
１０１  ＣＰＵ
１０２  ＲＯＭ
１０３  ＲＡＭ
１０４  操作パネル
１０５  各種センサー
１０６  各種モーター
１０７  Ｉ／Ｏ制御部
１０８  スキャナー部
１０９  読み取り制御部
１１０  プロッター部
１１１  書き込み制御部
１１２  静脈パターン認識手段
１１３  指紋認識手段
１１４  認識データ記憶手段
１１５  照合手段
１１６  個人認識手段
１１７  画情報蓄積部
【図１】
2004154546.tif 000003
【図２】
2004154546.tif 000004
【図３】
2004154546.tif 000005
【図４】
2004154546.tif 000006
【図５】
2004154546.tif 000007
【図６】
2004154546.tif 000008
【図７】
2004154546.tif 000009
【図８】
2004154546.tif 000010
【図９】
2004154546.tif 000011